(57)【要約】    【課題】  撮影開口の開放および遮光に要する時間を短縮できる遮光装置および電子カメラを提供する。    【解決手段】  撮影開口４１１の短辺方向を互いに逆方向に走行する上側遮光羽根８，９と下側遮光羽根６，７とによって、撮影開口４１１を開放および遮光する。開放時には上側遮光羽根８，９を引き上げ、下側遮光羽根６，７を引き下げて、撮影開口４１１を開放する。遮光時には、上側第１遮光羽根８と下側第１遮光羽根６とが撮影開口４１１の高さ方向の中央で重なるが、上側第２遮光羽根９は下側遮光羽根６，７と重ならず、下側第２遮光羽根７は上側遮光羽根８，９と重ならない。また、遮光する際には、上側遮光羽根８と下側遮光羽根６とが重なり始めてから制動を開始する。これにより、制動時に遮光羽根の厚さ方向の振動が発生しても、対向して走行する遮光羽根同士の衝突による破損が防止できる。【選択図】      図３
2006293073.tif 000002
【特許請求の範囲】
【請求項１】
略矩形形状を呈する撮影開口の短辺方向を互いに逆方向に走行して、前記撮影開口を開放および遮光する２組の遮光羽根群を備え、
前記２組の遮光羽根群は、前記撮影開口を遮光する際に、それぞれ相手側の遮光羽根群に向かって走行する先頭の遮光羽根同士が一部で重なり、他の遮光羽根がそれぞれ相手側の遮光羽根群とは重ならずに前記撮影開口を遮光することを特徴とする遮光装置。
【請求項２】
請求項１に記載の遮光装置において、
前記先頭の遮光羽根同士が重なる位置は、前記撮影開口の短辺方向の略中央であることを特徴とする遮光装置。
【請求項３】
請求項１または請求項２に記載の遮光装置において、
前記２組の遮光羽根群は、ぞれぞれ、前記先頭の遮光羽根１枚と、前記他の遮光羽根１枚とによって構成されることを特徴とする遮光装置。
【請求項４】
請求項１〜３のいずれか一項に記載の遮光装置と、
前記撮影開口から導かれる被写体光を撮像する撮像素子とを備えることを特徴とする電子カメラ。
【請求項５】
請求項４に記載の電子カメラにおいて、
前記撮像素子の露光時間を電子的に制御する露光制御手段をさらに備えることを特徴とする電子カメラ。
【発明の詳細な説明】
【技術分野】
【０００１】
本発明は、撮像素子に被写体光を導く撮影開口を開放および遮光する遮光装置および電子カメラの技術に関する。
【背景技術】
【０００２】
デジタルスチルカメラにおいて、たとえばＣＣＤのような電子シャッタ機能を持つ撮像素子を用いた場合には、その電子シャッタで露光時間を制御することで、メカニカルなシャッタでは実現が困難な高速秒時（たとえば、１／１６０００秒）を実現している。
【０００３】
デジタルスチルカメラでの撮影においては、たとえ電子シャッタによる露光終了後であっても、撮像素子に強い光が入射するとフォトダイオードから他の画素にまで電荷があふれ出し、いわゆるブルーミング現象による白飛びが発生することがある。このような現象は、たとえばレンズを開放絞りでポートレート撮影を行う際に、背景に太陽を入れるなどすると起こり易い。
【０００４】
ブルーミング現象を回避するには、撮像素子への入射光量を極力減らす必要がある。そこで、電子シャッタを採用するカメラにおいてもメカニカルな遮光装置を設け、電子シャッタによる露光後に遮光装置の遮光羽根を速やかに閉じて撮像素子を遮光している（特許文献１参照）。
【０００５】
【特許文献１】特開２０００−１３１７３１号公報
【発明の開示】
【発明が解決しようとする課題】
【０００６】
従来の遮光装置で撮像素子の遮光を図る場合、ブルーミング回避効果を高めるには、露光後に遮光羽根を高速で閉じる必要があるが、従来の遮光装置では、遮光羽根が略矩形形状を呈する撮影開口の対向する一端から他端まで走行するため、撮影開口の開放および遮光に時間を要していた。
【課題を解決するための手段】
【０００７】
（１）  請求項１の発明による遮光装置は、略矩形形状を呈する撮影開口の短辺方向を互いに逆方向に走行して、撮影開口を開放および遮光する２組の遮光羽根群を備え、２組の遮光羽根群は、撮影開口を遮光する際に、それぞれ相手側の遮光羽根群に向かって走行する先頭の遮光羽根同士が一部で重なり、他の遮光羽根がそれぞれ相手側の遮光羽根群とは重ならずに前記撮影開口を遮光することを特徴とする。
（２）  請求項２の発明は、請求項１に記載の遮光装置において、先頭の遮光羽根同士が重なる位置は、撮影開口の短辺方向の略中央であることを特徴とする。
（３）  請求項３の発明は、請求項１または請求項２に記載の遮光装置において、２組の遮光羽根群は、ぞれぞれ、先頭の遮光羽根１枚と、他の遮光羽根１枚とによって構成されることを特徴とする。
（４）  請求項４の発明による電子カメラは、請求項１〜３のいずれか一項に記載の遮光装置と、撮影開口から導かれる被写体光を撮像する撮像素子とを備えることを特徴とする。
（５）  請求項５の発明は、請求項４に記載の電子カメラにおいて、撮像素子の露光時間を電子的に制御する露光制御手段をさらに備えることを特徴とする。
【発明の効果】
【０００８】
本発明によれば、略矩形形状を呈する撮影開口の短辺方向を互いに逆方向に走行して、撮影開口を開放および遮光する２組の遮光羽根群を遮光装置に備えるように構成した。これにより、２組の遮光羽根群の走行距離を短縮できるので、２組の遮光羽根群が撮影開口の開放および遮光に要する時間を短縮できる。さらに本発明によれば、撮影開口を遮光する際に、それぞれ相手側の遮光羽根群に向かって走行する先頭の遮光羽根同士が一部で重なり、他の遮光羽根がそれぞれ相手側の遮光羽根群とは重ならずに撮影開口を遮光するように構成した。これにより、２組の遮光羽根群同士の衝突による破損を防止できるので、遮光装置および電子カメラの信頼性を向上できる。
【発明を実施するための最良の形態】
【０００９】
図１〜２３を参照して、本発明による遮光装置を搭載した電子カメラの一実施の形態を説明する。図１は、本発明による電子カメラである一眼レフタイプのカメラボディ１００とカメラボディ１００に装着する撮影レンズ１２０を示した斜視図である。カメラボディ１００にはレリーズボタン１０４と、撮像素子であるＣＣＤ６９と、カメラボディ１００の各部を制御する制御回路１０１とが設けられている。３０１は、撮影レンズ１２０からの被写体像をＣＣＤ６９に導くための撮影光路である。本実施の形態の電子カメラでは、制御回路１０１からの制御信号によってＣＣＤ６９の電荷の蓄積時間を制御する、いわゆる電子シャッタと呼ばれるもので露光時間を制御する。カメラボディ１００に撮影レンズ１２０を装着すると、レンズ側絞りレバー１２３とカメラ側の絞り連動レバー３２３の当接部３２３ａとが当接する。レンズ側絞りレバー１２３は、カメラ側の絞り連動レバー３２３により駆動されて所定の絞り値に制御される。なお、本実施の形態では、撮影レンズ１２０が取り付けられるカメラボディ１００の前方を正面と呼び、ＣＣＤ６９が設けられるカメラボディ１００の後方を背面と呼ぶ。また、カメラボディ１００の上下左右方向を各図に記載したように規定する。
【００１０】
図２は、カメラボディ１００に取り付けられるミラーボックスの斜視図である。ミラーボックス３００の内部にはメインミラー３２１とサブミラー３２２とが設けられている。ミラーボックス３００の側面の軸には、レンズ側絞りレバー１２３を駆動する絞り連動レバー３２３など、公知の各種レバーが回動可能に取り付けられている。さらにミラーボックス３００には、レンズ絞りを所定の絞り値に制御するための公知の絞り制御機構２００と、本発明による遮光装置４００とが取り付けられる。以下に述べる各部の構成については、撮影開始前（レリーズ動作開始前）の状態を前提として説明する。
【００１１】
−−−遮光装置４００−−−
遮光装置４００は、ＣＣＤ６９を遮光する閉状態と、ＣＣＤ６９に被写体像を導く開状態との間で開閉動作を行う一組の遮光羽根を有する機構であり、遮光羽根部４１０と、遮光羽根駆動部４２０とを有する（図２）。図３〜５は、遮光羽根部４１０の詳細を示す図である。なお、図３は、ＣＣＤ６９を遮光する閉状態の遮光羽根部４１０を正面から見た図であり、図５は、ＣＣＤ６９に被写体像を導く開状態の遮光羽根部４１０を正面から見た図である。図４は、図３のＩ−Ｉ断面を示す図である。図２に示すように、遮光装置４００は、ＣＣＤ６９の前方に位置するようにミラーボックス３００の背面に取り付けられる。
【００１２】
遮光羽根部４１０は、基板１と、上側遮光羽根８，９と、下側遮光羽根６，７と、上側主アーム２と、上側従動アーム３と、下側主アーム５と、下側従動アーム４と、仕切板１２，１３と、カバー板１４とを備えている。基板１は、遮光装置４００を構成する各部品が配設される基板であり、長穴１ｆ，１ｇと、ＣＣＤ６９に被写体像を導く撮影開口４１１とが設けられている。基板１の正面側には、遮光羽根駆動部４２０が取り付けられている。後述するように、基板１の正面側には、遮光羽根駆動部４２０の各レバーが取り付けられる軸が植設されている。基板１の背面側には、アーム回転軸１ｂ〜１ｅが植設されている。基板１の背面には、基板１の撮影開口４１１と略同形状の開口１２ａ，１３ａ，１４ａを有する仕切板１２，１３およびカバー板１４が配設される（図４参照）。
【００１３】
撮影開口４１１は、横長の矩形形状を呈している。すなわち、撮影開口４１１の上辺４１１ａおよび下辺４１１ｃの長さは、右辺４１１ｂおよび左辺４１１ｄの長さよりも長い。以下の説明では、撮影開口４１１の上下方向（高さ方向）を短辺方向とも呼び、撮影開口４１１の左右方向を長辺方向とも呼ぶこととする。
【００１４】
上側遮光羽根８，９は、撮影開口４１１を短辺方向に走行して、撮影開口４１１の上下方向略中央のやや下側から上の領域、すなわち、撮影開口４１１の略上半分の領域を遮光および開放する遮光羽根であり、それぞれ上側主アーム２と上側従動アーム３の双方に取り付けられている。撮影開口４１１を遮光した際に下側に位置する遮光羽根を上側第１遮光羽根８と呼び、上側に位置する羽根を上側第２遮光羽根９と呼ぶ。下側遮光羽根６，７は、撮影開口４１１を短辺方向に走行して、撮影開口４１１の上下方向略中央のやや上側から下の領域、すなわち、撮影開口４１１の略下半分の領域を遮光および開放する遮光羽根であり、それぞれ下側主アーム５と下側従動アーム４の双方に取り付けられている。撮影開口４１１を遮光した際に上側に位置する羽根を下側第１遮光羽根６と呼び、下側に位置する羽根を下側第２遮光羽根７と呼ぶ。
【００１５】
上側主アーム２および上側従動アーム３は、アーム回転軸１ｂおよび１ｃに回動可能に軸支され、下側主アーム５および下側従動アーム４は、アーム回転軸１ｅおよび１ｄに回動可能に軸支されている。上側主アーム２および上側従動アーム３には、かしめピン８ａ，９ａによって上側遮光羽根８，９が回動可能に取り付けられている。上側主アーム２および上側従動アーム３がアーム回転軸１ｂおよび１ｃを中心に回転駆動されると、上側遮光羽根８，９が連動して駆動される。すなわち、上側主アーム２と上側従動アーム３とによって構成される周知のリンク機構によって２枚の上側遮光羽根８，９が連動して駆動されて、基板１の撮影開口４１１を短辺方向に移動するように構成されている。なお、上側主アーム２、上側従動アーム３および上側遮光羽根８，９は、基板１と仕切板１２との間に配設されている（図４）。以下の説明では、上側主アーム２、上側従動アーム３および上側遮光羽根８，９によって構成される撮影開口４１１の遮光機構を上側遮光機構と呼ぶ。
【００１６】
下側主アーム５および下側従動アーム４には、かしめピン６ａ，７ａによって下側遮光羽根６，７が回動可能に取り付けられている。下側主アーム５および下側従動アーム４がアーム回転軸１ｅおよび１ｄを中心に回転駆動されると、下側遮光羽根６，７が連動して駆動される。すなわち、下側主アーム５と下側従動アーム４とによって構成される周知のリンク機構によって２枚の下側遮光羽根６，７が連動して駆動されて、基板１の撮影開口４１１を短辺方向に移動するように構成されている。なお、下側主アーム５、下側従動アーム４および下側遮光羽根６，７は、仕切板１３とカバー板１４との間に配設されている（図４）。以下の説明では、下側主アーム５、下側従動アーム４および下側遮光羽根６，７によって構成される撮影開口４１１の遮光機構を下側遮光機構と呼ぶ。下側遮光機構は、撮影開口４１１の上下方向の略中央を軸として、上側遮光機構と略対称となるように配設されている。撮影開口４１１を遮光する際、上側第１遮光羽根８および下側第１遮光羽根６は、それぞれ相手側の遮光羽根群に向かって先頭を走行する。
【００１７】
このように、遮光羽根部４１０は、相手側の遮光羽根群に向かって先頭を走行する遮光羽根（上側第１遮光羽根８および下側第１遮光羽根６）と、その他の遮光羽根（上側第２遮光羽根９および下側第２遮光羽根７）の２枚を１組として上下２組有している。上側遮光機構および下側遮光機構に用いられる遮光羽根の枚数を減らすと、遮光羽根部４１０の前後方向（光軸方向）の厚さを薄くできるが、各遮光羽根の高さが高くなるため、撮影開口４１１の開放時に遮光羽根が退避する部分の高さも高くなり、遮光羽根部４１０の全体の高さが高くなる。逆に、上側遮光機構および下側遮光機構に用いられる遮光羽根の枚数を増やすと、遮光羽根部４１０の光軸方向の厚さが厚くなるが、各遮光羽根の高さが低くなるため、上述とは逆に遮光羽根部４１０の高さを低くできる。本実施の形態の遮光羽根部４１０では、遮光羽根部４１０および電子カメラが小型化できるように、遮光羽根部４１０の高さと光軸方向の厚さの両面を考慮して、上側遮光機構および下側遮光機構に用いられる遮光羽根の枚数をそれぞれ２枚ずつとしている。
【００１８】
上側主アーム２および下側主アーム５には、穴２ａ，５ａが設けられ、後述するように長穴１ｆ，１ｇを貫通した遮光羽根駆動部４２０の連動ピン２４，３５が正面側から挿入される。穴２ａ，５ａに嵌合する連動ピン２４，３５が長穴１ｆ，１ｇに沿って駆動されると、上側主アーム２および下側主アーム５がアーム回転軸１ｂおよび１ｅを中心に旋回されるので、上述のように、上側遮光羽根８，９および下側遮光羽根６，７が連動して駆動される。
【００１９】
上側遮光羽根８，９および下側遮光羽根６，７の駆動範囲は、それぞれ後述する連動ピン２４，３５の駆動範囲によって決定されるが、撮影開始前の撮影開口４１１の遮蔽時には、図３，４に示す状態となる。すなわち、上側第１遮光羽根８は、撮影開口４１１の短辺方向中央よりも下方まで下がった位置で停止され、上側第２遮光羽根９は、上側第１遮光羽根８および上辺４１１ａより上方の基板１と一部重なった状態で停止される。したがって、撮影開始前の撮影開口４１１の遮蔽時には、上側遮光羽根８，９は、上側第１遮光羽根９の下辺９ｂの位置する撮影開口４１１の短辺方向中央より下方の部分から上辺４１１ａまでの範囲を遮光する。
【００２０】
下側第１遮光羽根６は、撮影開口４１１の短辺方向中央よりも上方まで上がった位置で停止され、下側第２遮光羽根７は、下側第１遮光羽根６および下辺４１１ｃより下方の基板１と一部重なった状態で停止される。したがって、撮影開始前の撮影開口４１１の遮蔽時には、下側遮光羽根６，７は、下側第１遮光羽根６の上辺６ｂの位置する撮影開口４１１の短辺方向中央より上方の部分から下辺４１１ｃまでの範囲を遮光する。
【００２１】
上述のように、撮影開始前の撮影開口４１１の遮蔽時には、上側第１遮光羽根８は、撮影開口４１１の短辺方向中央よりも下方まで下がった位置で停止され、下側第１遮光羽根６は、撮影開口４１１の短辺方向中央よりも上方まで上がった位置で停止されるので、撮影開口４１１の上下方向の略中央で上側第１遮光羽根８と下側第１遮光羽根６とが重なり、撮影開口４１１は、上側遮光羽根８，９および下側遮光羽根６，７によって完全に閉じられて遮蔽された状態となる。なお、図４に示すように、撮影開始前の撮影開口４１１の遮蔽時には、上側第２遮光羽根９は下側遮光羽根６，７と重ならず、下側第２遮光羽根７は上側遮光羽根８，９とは重ならない。
【００２２】
撮影開始前の撮影開口４１１の遮蔽時には、上側第１遮光羽根８は、下辺４１１ｃよりも上方で停止されるため下辺４１１ｃまで到達しない。同様に、下側第１遮光羽根６は、上辺４１１ａよりも下方で停止されるため、上辺４１１ａまで到達しない。撮影時には、図５に示すように、上側遮光羽根８，９は、撮影開口４１１から上方に退避し、下側遮光羽根６，７は、撮影開口４１１から下方に退避して、撮影開口４１１を完全に開放する。仕切板１２，１３は、撮影開口４１１の遮蔽時に互いに対向して走行する上側遮光羽根９と下側遮光羽根６との重なりが生じる際に、上側遮光羽根９と下側遮光羽根６とが衝突するのを防止する機能を有する部材である。
【００２３】
図６〜１０は、遮光羽根駆動部４２０の詳細を示す図である。なお、図７〜９では、説明の便宜上、一部の構成要素について輪郭を強調している。遮光羽根駆動部４２０は、遮光羽根部４１０を駆動するための駆動機構であり、基板１の正面側に設けられている。図６〜９に示すように、基板１の正面側には、遮光羽根駆動部４２０の各レバーが取り付けられる軸１ｂ，１ｅ，１５，２６，２９，３６と、ピン２０，６５〜６８とが植設されている。また、基板１の正面側には、チャージレバー１８と、閉鎖駆動レバー２１と、開放従動レバー２３と、閉鎖係止レバー２５と、上側ブレーキレバー２８と、下側ブレーキレバー３０と、閉鎖従動レバー３２と、開放駆動レバー３４と、開放係止レバー３７とが設けられ、これら各レバーよりもさらに正面側に制御基板３９が配設されている（図１０）。
【００２４】
制御基板３９は、支柱４０〜４２によって基板１の正面側に基板１と所定距離だけ離間した状態で取り付けられている。制御基板３９には、開口部３９ａ，３９ｂと、当接端部３９ｃ，３９ｄが設けられている。なお、当接端部３９ｃは、制御基板３９の左側端面に設けられ、当接端部３９ｄは、開口部３９ｂの内側の右側端面に設けられている。制御基板３９の正面側の表面には、軸４３，４７，６１と、ピン５４と、位置決めピン５８とが植設され、マグネット５７と、レリーズレバー４４と、慣性レバー４６と、リセットレバー４８と、マグネットレバー５０とが設けられている。
【００２５】
図６，７に示すように、軸１ｂと軸１ｅとは、撮影開口４１１の上下方向の略中央を軸として、略対称となるように配設されている。軸２９は、撮影開口４１１の上下方向の略中央に配設されている。チャージレバー１８は、遮光羽根駆動部４２０の各部を撮像前の状態に復帰させるために、不図示の駆動モータからの動力を伝達するレバーであり、軸１５に回動可能に軸支され、上端部分の背面側に設けられたチャージローラ１６と、下方の正面側に設けられたリセットローラ１７とを有する。チャージレバー１８の下端部分には、カム面１８ａが形成されている。チャージレバー１８は、バネ１９によって基板１に対して、図６，７における図示時計方向に付勢されている。チャージレバー１８の図示時計方向の旋回は、ピン２０によって規制されている。撮影開始前、チャージレバー１８は、バネ１９の付勢力で図示時計方向に回動されて、ピン２０に当接して停止している。
【００２６】
閉鎖駆動レバー２１は、露光後直ちに撮影開口４１１を遮光するように上側遮光機構を駆動するためのレバーであり、軸１ｂに回動可能に軸支され、曲げ部２１ａと、セクターギヤ部２１ｂと、係止部２１ｃと、バネ係止部２１ｄとを有する。閉鎖駆動レバー２１は、バネ係止部２１ｄに係止されたバネ２２によって、基板１に対して、図６，７における図示時計方向に付勢されている。撮影開始前、閉鎖駆動レバー２１の図示時計方向の旋回は、係止部２１ｃが閉鎖係止レバー２５に係止されることによって規制される。セクターギヤ部２１ｂは、次に述べる閉鎖従動レバー３２のセクターギヤ部３２ｂと噛合している。
【００２７】
閉鎖従動レバー３２は、閉鎖駆動レバー２１に従動して駆動されて、露光後直ちに撮影開口４１１を遮光するように下側遮光機構を駆動するためのレバーであり、軸１ｅに回動可能に軸支され、曲げ部３２ａと、セクターギヤ部３２ｂと、ローラ部３２ｃと、バネ係止部３２ｄとを有する。上述のように、セクターギヤ部３２ｂが閉鎖駆動レバー２１のセクターギヤ部２１ｂと噛合しているので、閉鎖従動レバー３２は、閉鎖駆動レバー２１と連動して回動される。ローラ部３２ｃは、回動中心（軸１ｅ）とセクターギヤ部２３ｂとの間の正面側の表面に設けられている。バネ係止部３２ｄには、バネ３３の一端が係止されている。閉鎖駆動レバー２１および閉鎖従動レバー３２の配設位置、回動方向、回動位相は、撮影開口４１１の上下方向の略中央を軸として略対称となる。撮影開始前、閉鎖従動レバー３２は、閉鎖駆動レバー２１に従動して図示時計方向に回動された状態で停止している。
【００２８】
閉鎖係止レバー２５は、閉鎖駆動レバー２１の図示時計方向への旋回を規制および許可するためのレバーであり、曲げ部２５ａ，２５ｂを有する。閉鎖係止レバー２５は、バネ２７によって基板１に対して図示反時計方向に付勢されている。閉鎖係止レバー２５の図示反時計方向への旋回は、制御基板３９の正面側に延在する曲げ部２５ｂの一部が制御基板３９の当接端部３９ｃに当接することで規制される（図１０）。閉鎖係止レバー２５は、曲げ部２５ａが閉鎖駆動レバー２１の係止部２１ｃと当接することで、閉鎖駆動レバー２１の図示時計方向への旋回を規制する。
【００２９】
開放駆動レバー３４は、下側遮光機構を駆動するためのレバーであり、図６，８に示すように、軸１ｅに回動可能に軸支され、セクターギヤ部３４ａと、腕３４ｂと、係止部３４ｃと、バネ係止部３４ｄとを有する。セクターギヤ部３４ａは、次に述べる開放従動レバー２３のセクターギヤ部２３ａと噛合している。腕３４ｂは、開放駆動レバー３４の回動中心（軸１ｅ）から図示斜め右下方に延在し、その先端に係止部３４ｃが設けられている。腕３４ｂの背面側には、係止部３４ｃの近傍に連動ピン３５が植設されている。上述のように、連動ピン３５の先端は、基板１の長穴１ｇを貫通して、下側主アーム５の穴５ａに挿入されている。開放駆動レバー３４は、バネ係止部３４ｄに他端が取り付けられたバネ３３によって、基板１に対して、図６，８における図示時計方向に付勢されている。撮影開始前、開放駆動レバー３４の図示時計方向への旋回は、後述する開放係止レバー３７の曲げ部３７ａに係止部３４ｃが当接することで規制される。
【００３０】
開放従動レバー２３は、上側遮光機構を駆動するためのレバーであり、軸１ｂに回動可能に軸支され、セクターギヤ部２３ａと、腕２３ｂとを有する。セクターギヤ部２３ａが、上述のように開放駆動レバー３４のセクターギヤ部３４ａと噛合しているので、開放従動レバー２３は、開放駆動レバー３４と連動して回動される。腕２３ｂは、開放従動レバー２３の回動中心（軸１ｂ）から図示斜め右上方に延在している。腕２３ｂの先端近傍の背面側には、連動ピン２４が植設されている。上述のように、連動ピン２４の先端は、基板１の長穴１ｆを貫通して、上側主アーム２の穴２ａに挿入されている。開放駆動レバー３４および開放従動レバー２３の配設位置、回動方向、回動位相は、撮影開口４１１の上下方向の略中央を軸として略対称となる。
【００３１】
開放係止レバー３７は、開放駆動レバー３４の図示時計方向への旋回を規制および許可するためのレバーであり、軸３６に回動可能に軸支され、曲げ部３７ａ，３７ｂを有する。曲げ部３７ａは、開放駆動レバー３４の係止部３４ｃを係止するように形成され、曲げ部３７ｂは、制御基板３９の開口３９ｂから制御基板３９の正面側へ突出するように形成されている。開放係止レバー３７は、バネ３８によって基板１に対して図示反時計方向に付勢されている。開放係止レバー３７の図示反時計方向への旋回は、制御基板３９に設けられた開口部３９ｂの内周面の一部である当接端部３９ｄに曲げ部３７ｂが当接することで規制される（図１０）。開放係止レバー３７は、上述のように曲げ部３７ａが開放駆動レバー３４の係止部３４ｃを係止することで、開放駆動レバー３４の図示時計方向への旋回を規制する。
【００３２】
上側ブレーキレバー２８は、撮影開口４１１の開放時および遮光時に開放従動レバー２３を制動するレバーであり、図６，９に示すように、軸２９に回動可能に軸支され、上方に延在する腕に設けられた当接部２８ａ，２８ｂを有する。下側ブレーキレバー３０は、撮影開口４１１の開放時および遮光時に開放駆動レバー３４を制動するレバーであり、軸２９に回動可能に軸支され、下方に延在する腕に設けられた当接部３０ａ，３０ｂを有する。上側ブレーキレバー２８および下側ブレーキレバー３０には、軸２９を中心として回動する際に公知の方法によってビス３１の締め付け力を利用した摩擦力が作用する。撮影開始前、上側ブレーキレバー２８は、図示時計方向に回動されて、当接部２８ｂ近傍でピン６５に当接して停止している。下側ブレーキレバー３０は、図示反時計方向に回動されて、当接部３０ｂ近傍でピン６６に当接して停止している。
【００３３】
レリーズレバー４４は、レリーズ動作の際にメインミラー３２１のミラーアップ動作に連動して駆動されるレバーであり、図１０に示すように、軸４３に回動可能に軸支され、係止部４４ａとレリーズ端４４ｂとを有する。レリーズレバー４４は、バネ６４によって制御基板３９に対して図示反時計方向に付勢されている。撮影開始前、レリーズレバー４４は、係止部４４ａでリセットレバー４８の曲げ部４８ｂを係止している。６０は、ミラーボックス３００に取り付けられて、メインミラー３２１のミラーアップ動作およびミラーダウン動作に連動して駆動されるレバーであり、レリーズ端４４ｂの近傍に配設されている。
【００３４】
慣性レバー４６は、軸６１に回動可能に軸支され、バネ４５によって制御基板３９に対して図示反時計方向に付勢されている。慣性レバー４６の背面側には、上方の端部近傍にピン６２が植設され、下方の端部近傍にピン６３が植設されている。撮影開始前、慣性レバー４６は、後述するリセットレバー４８のカム面４８ａが設けられる腕によってピン６２が斜め下方に押圧されて、バネ４５の付勢力に抗して図示時計方向に回動されて停止している。リセットレバー４８は、軸４７に回動可能に軸支され、カム面４８ａと曲げ部４８ｂとを有する。リセットレバー４８は、カム面４８ａが設けられる腕に一端が取り付けられたバネ４９と、曲げ部４８ｂに一端が係合されたバネ５５とによって制御基板３９に対して図示時計方向に付勢されている。バネ５５の他端は、ピン５４に係合されている。撮影開始前、リセットレバー４８の図示時計方向への旋回は、曲げ部４８ｂがレリーズレバー４４の係止部４４ａに係止されることで規制されている。
【００３５】
マグネットレバー５０は、軸４７に回動可能に軸支され、曲げ部５０ａ，５０ｂ，５０ｃを有する。マグネットレバー５０の曲げ部５０ｂにはバネ５６の一端が係合されている。図１０に示すように、撮影開始前の状態では、バネ５６の他端がリセットレバー４８の曲げ部４８ｂに係合されているため、マグネットレバー５０は、バネ５６によって図示反時計方向に付勢される。曲げ部５０ｃが設けられるマグネットレバー５０の腕には、背面側にピン５３が植設されている。曲げ部５０ｃ近傍には軸５１によって鉄片５２が公知の方法により取り付けられている。鉄片５２は、図１０に示す撮影開始前の状態では、後述するマグネット５７に当接している。
【００３６】
マグネット５７は、マグネットレバー５０に取り付けられた鉄片５２を吸着および釈放する公知のマグネットであり、位置決めピン５８によって決められる制御基板３９上の所定位置に、ビス５９によって固定されている。マグネット５７は、励磁状態では鉄片５２を吸着し、非励磁状態では鉄片５２を離脱可能に釈放する。
【００３７】
−−−撮影時の動作説明−−−
本実施の形態の電子カメラで撮影する際の各部の動作について、遮光装置４００を中心に説明する。撮影開始前、撮影レンズ１２０の絞りは開放状態であり、メインミラー３２１は、ミラーダウン位置となっている。遮光装置４００の各部は、図３，４，６〜１０に示す状態となっている。
【００３８】
図６，８に示すように、開放駆動レバー３４は、バネ３３の付勢力に抗して図示反時計方向に旋回された状態で、係止部３４ｃが開放係止レバー３７の曲げ部３７ａに係止されることによって停止している。これにより、図３に示すように、開放駆動レバー３４に植設された連動ピン３５が下側主アーム５を図示反時計方向に回動させるので、下側遮光機構は、撮影開口４１１の短辺方向中央より上方の部分から下辺４１１ｃまでの範囲を遮光する。開放従動レバー２３は、開放駆動レバー３４に従動して図示時計方向に回動された状態で停止している。これにより、図３に示すように、開放従動レバー２３に植設された連動ピン２４が上側主アーム２を図示時計方向に回動させるので、上側遮光機構は、撮影開口４１１の短辺方向中央より下方の部分から上辺４１１ａまでの範囲を遮光する。すなわち、撮影開口４１１は、上側遮光羽根８，９および下側遮光羽根６，７によって遮蔽されている。
【００３９】
レリーズボタン１０４が押圧されて不図示のレリーズスイッチからレリーズ信号が入力されると、制御回路１０１はマグネット５７を励磁する。これにより、マグネット５７は、マグネット５７に当接している鉄片５２を吸着保持する。また、レリーズ信号が入力されると、公知の方法により、ミラーボックス３００に取り付けられた絞り連動レバー３２３が駆動されてレンズ絞りが開放状態から絞り込まれるとともに、メインミラー３２１がミラーダウン位置からミラーアップ位置まで回動される。さらに、ミラーボックス３００に取り付けられたレバー６０が、図１０の矢印Ａで示すように下方に駆動されて、レリーズレバー４４のレリーズ端４４ｂを下方に押圧する。これにより、図１１に示すように、レリーズレバー４４が図示時計方向に回動されて、係止部４４ａと曲げ部４８ｂとの係止が解除されるので、リセットレバー４８は、バネ４９の付勢力で図示時計方向に回動される。
【００４０】
リセットレバー４８の図示時計方向への回動によって、バネ５５の一端とバネ５６の他端とが、マグネットレバー５０の曲げ部５０ａに当接する。これによりマグネットレバー５０は、バネ５５によって図示時計方向に付勢されるが、上述のように、鉄片５２がマグネット５７に吸着されているため回動しない。また、リセットレバー４８の図示時計方向への回動によって、ピン６２を斜め下方に押圧していたリセットレバー４８の腕が上方に移動するので、慣性レバー４６はバネ４５の付勢力で図示反時計方向に回動される。慣性レバー４６の図示反時計方向への回動によって、ピン６３が開放係止レバー３７の曲げ部３７ｂを押圧して、開放係止レバー３７を図示時計方向に回動させるので、図１２に示すように、曲げ部３７ａと開放駆動レバー３４の係止部３４ｃとの係合が解除される。
【００４１】
曲げ部３７ａと開放駆動レバー３４の係止部３４ｃとの係合が解除されると、開放駆動レバー３４が、バネ３３の付勢力で時計方向に回動されるとともに、セクターギヤ部２３ａ，３４ａで噛合する開放従動レバー２３が反時計方向に回動される。これにより、連動ピン２４が上側主アーム２を図示反時計方向に回動させるので、上側遮光羽根８，９は上方に引き上げられる。同様に、連動ピン３５が下側主アーム５を図示時計方向に回動させるので、下側遮光羽根６，７は下方に引き下げられる。上述のように、撮影開口４１１の上下方向の略中央を軸として、開放駆動レバー３４および開放従動レバー２３の回動は略対称となる。したがって、上側遮光羽根８，９と下側遮光羽根６，７とが同時に互いに逆方向に同じ距離だけ駆動され、撮影開口４１１は、高さ方向略中央から開き始める。
【００４２】
開放駆動レバー３４の時計方向への回動、および、開放従動レバー２３の反時計方向への回動が進行すると、連動ピン３５が下側ブレーキレバー３０の当接部３０ａへ当接して下側ブレーキレバー３０を時計方向に回動させ、連動ピン２４が上側ブレーキレバー２８の当接部２８ａへ当接して上側ブレーキレバー２８を反時計方向に回動させる。上述のように、上側ブレーキレバー２８および下側ブレーキレバー３０には、ビス３１の締め付け力による摩擦力が作用するので、開放駆動レバー３４および開放従動レバー２３は、それぞれ下側ブレーキレバー３０および上側ブレーキレバー２８から制動力を受ける。開放駆動レバー３４および下側ブレーキレバー３０の時計方向への回動がさらに進行すると、図１３に示すように、下側ブレーキレバー３０の当接部３０ａ近傍がピン６８に当接することで、時計方向への回動が停止される。同様に、開放従動レバー２３および上側ブレーキレバー２８の反時計方向への回動は、上側ブレーキレバー２８の当接部２８ａ近傍がピン６７に当接することで停止される。このとき、撮影開口４１１は、図５に示すように完全に開口した状態となる。
【００４３】
なお、下側ブレーキレバー３０の時計方向への回動、および、上側ブレーキレバー２８の反時計方向への回動によって、当接部３０ｂ，２８ｂもそれぞれ時計方向および反時計方向に移動する。これにより、後述するリセット動作において、連動ピン３５，２４が上述の説明とは反対の方向に駆動されても上述の説明と同様に開放駆動レバー３４および開放従動レバー２３を制動できる。すなわち、撮影開口４１１の開放時における開放駆動レバー３４および開放従動レバー２３の制動動作によって、撮影開口４１１の遮蔽時における開放駆動レバー３４および開放従動レバー２３の制動準備動作が完了する。
【００４４】
上述のレリーズ動作の後、制御回路１０１で制御される電子シャッタによってＣＣＤ６９へ電荷の蓄積が制御されることで撮像が行われる。ＣＣＤ６９への電荷蓄積が終了して撮像が終了すると、これに引き続き、以下のリセット動作が行われる。
【００４５】
制御回路１０１は、リセット動作が開始されると、直ちにマグネット５７への通電を停止する。これにより、図１４に示すように、マグネット５７に吸着されていた鉄片５２が離脱可能に釈放されるので、バネ５５の付勢力によってマグネットレバー５０は、時計方向に回動して、ピン５３で閉鎖係止レバー２５の曲げ部２５ｂを図示時計方向に押圧する。これによって、閉鎖係止レバー２５は、バネ２７の付勢力に抗して図示時計方向に回動される。その結果、図１５に示すように、曲げ部２５ａと閉鎖駆動レバー２１の係止部２１ｃとの係合が解除されるので、閉鎖駆動レバー２１は、バネ２２の付勢力で図示時計方向に回動され、閉鎖従動レバー３２は、閉鎖駆動レバー２１に従動して図示反時計方向に回動される。
【００４６】
閉鎖駆動レバー２１が図示時計方向へ回動されると、曲げ部２１ａによって開放従動レバー２３の腕２３ｂが押圧されて、開放従動レバー２３が図示時計方向に回動される。閉鎖従動レバー３２が図示反時計方向へ回動されると、曲げ部３２ａによって開放駆動レバー３４の腕３４ｂが押圧されて、開放駆動レバー３４が図示反時計方向に回動される。これにより、連動ピン２４が上側主アーム２を図示時計方向に回動させるので、上側遮光羽根８，９は、撮影開口４１１を閉じるように下方に向かって引き下げられる。同様に、連動ピン３５が下側主アーム５を図示反時計方向に回動させるので、下側遮光羽根６，７は、撮影開口４１１を閉じるように上方に向かって引き上げられる。すなわち、上側遮光羽根８，９および下側遮光羽根６，７は、撮影開口４１１を閉じるように互いに逆方向に駆動される。
【００４７】
閉鎖駆動レバー２１と開放従動レバー２３の時計方向への回動、および、閉鎖従動レバー３２と開放駆動レバー３４の反時計方向への回動が進行すると、図１６に示すように、連動ピン２４が上側ブレーキレバー２８の当接部２８ｂへ当接し、連動ピン３５が下側ブレーキレバー３０の当接部３０ｂへ当接する。このとき、上側遮光機構および下側遮光機構は図１７に示す状態となる。すなわち、連動ピン２４が上側ブレーキレバー２８の当接部２８ｂへ当接し、連動ピン３５が下側ブレーキレバー３０の当接部３０ｂへ当接した時点では、すでに上側第１遮光羽根８と下側第１遮光羽根６とが重なり合って、撮影開口４１１を完全に遮蔽している。
【００４８】
従来のいわゆるフォーカルプレーンシャッタや、本実施の形態の遮光装置では、走行している遮光羽根に制動力が作用すると、遮光羽根がその厚さ方向に波打つように振動してしまう。そのため、本実施の形態の遮光装置のように、遮光羽根が遮光時に互いに相手側に向かって走行する場合、対向して走行する上側第１遮光羽根８の下側端面（下辺８ｂ）と下側第１遮光羽根６の上側端面（上辺６ｂ）とが、重なり部を生じる以前に制動動作を開始すると制動時の振動によって衝突する。この衝突によって、上側第１遮光羽根８および下側第１遮光羽根６を破損してしまう。そこで、本実施の形態では、上述のように、遮光時に上側第１遮光羽根８と下側第１遮光羽根６とが重なり合ってから制動するように構成することで、対向して走行する上側第１遮光羽根８の下側端面と下側第１遮光羽根６の上側端面との衝突を防止している。
【００４９】
上述したレリーズ動作の場合と同様に、連動ピン２４が上側ブレーキレバー２８の当接部２８ｂへ当接し、連動ピン３５が下側ブレーキレバー３０の当接部３０ｂへ当接すると、閉鎖駆動レバー２１と開放従動レバー２３、および、閉鎖従動レバー３２と開放駆動レバー３４は、それぞれ上側ブレーキレバー２８および下側ブレーキレバー３０から制動力を受ける。閉鎖駆動レバー２１および開放従動レバー２３の時計方向への回動がさらに進行すると、図１８に示すように、上側ブレーキレバー２８の当接部２８ｂ近傍がピン６５に当接することで、時計方向への回動が停止される。
【００５０】
同様に、閉鎖従動レバー３２と開放駆動レバー３４の反時計方向への回動は、下側ブレーキレバー３０の当接部３０ｂ近傍がピン６６に当接することで停止される。このときの上側遮光機構および下側遮光機構の各部の状態を図１９，２０に示す。図２０は、図１９のＩＩ−ＩＩ断面を示す図である。上側第１遮光羽根８は、下辺４１１ｃよりも上方で停止し、下辺４１１ｃまで到達していない。同様に、下側第１遮光羽根６は、上辺４１１ａよりも下方で停止し、上辺４１１ａまで到達していない。なお、図１８〜２０に示した状態では、上側遮光羽根８，９が最も下方へ駆動され、下側遮光羽根６，７が最も上方へ駆動されている。
【００５１】
このように、上側遮光羽根８，９が最も下方へ駆動され、下側遮光羽根６，７が最も上方へ駆動された状態であっても、図２０に示すように、上側第２遮光羽根９の下辺９ｂと下側第１遮光羽根６の上辺６ｂとは高さ方向にｈ１だけ離間しており、下側第２遮光羽根７の上辺７ｂと上側第１遮光羽根８の下辺８ｂとは高さ方向にｈ２だけ離間している。したがって、上側遮光羽根８，９が最も下方へ駆動され、下側遮光羽根６，７が最も上方へ駆動された状態であっても、上側第２遮光羽根９は下側遮光羽根６，７と重ならず、下側第２遮光羽根７は上側遮光羽根８，９とは重ならない。そのため、上述した制動に起因する遮光羽根の厚さ方向の振動が発生しても、上側第２遮光羽根９の下辺９ｂが下側遮光羽根６，７と接触することはないので、上側第２遮光羽根９および下側遮光羽根６，７が接触して破損することはない。同様に、下側第２遮光羽根７の上辺７ｂが上側遮光羽根８，９と接触することはないので、下側第２遮光羽根７および上側遮光羽根８，９が接触して破損することはない。なお、上側遮光装置および下側遮光装置の上下方向の対称性から、上述した距離ｈ１とｈ２とは略等しい。
【００５２】
上側ブレーキレバー２８の時計方向への回動、および、下側ブレーキレバー３０の反時計方向への回動によって、当接部２８ａ，３０ａもそれぞれ時計方向および反時計方向に移動する。したがって、上述の説明と同様に、撮影開口４１１の遮蔽時における開放従動レバー２３および開放駆動レバー３４の制動動作によって、撮影開口４１１の開放時における開放従動レバー２３および開放駆動レバー３４の制動準備動作が完了する。
【００５３】
このように、撮影開口４１１が遮蔽されると、ＣＣＤ６９へ蓄積された電荷の読み出しが開始されるとともに、絞り連動レバー３２３が撮影開始前の位置に戻されてレンズ絞りが開放状態に復帰される。さらに、メインミラー３２１がミラーアップ位置からミラーダウン位置まで回動される。ミラーボックス３００に取り付けられたレバー６０が上方へ退避する。これにより、図２１に示すように、レリーズレバー４４がバネ６４の付勢力によって図示反時計方向に回動されて、係止部４４ａがリセットレバー４８の曲げ部４８ｂを押圧する。また不図示の機構によってチャージレバー１８のチャージローラ１６が押圧されて、チャージレバー１８がバネ１９の付勢力に抗して図示反時計方向に回動される。なお、チャージレバー１８の図示反時計方向への回動は、撮影開口４１１が遮蔽された後に開始される。
【００５４】
図２２に示すように、チャージレバー１８が図示反時計方向へ回動されると、リセットローラ１７によってリセットレバー４８のカム面４８ａが押圧されるので、リセットレバー４８は、バネ４９の付勢力に抗して、図示反時計方向に回動される。リセットレバー４８の図示反時計方向への回動によって、曲げ部４８ｂに一端が係合されたバネ５５がチャージされる。リセットレバー４８の図示反時計方向への回動によって、バネ５６の他端が反時計方向に押圧されるが、バネ５６の一端がマグネットレバー５０の曲げ部５０ｂに係合されているので、マグネットレバー５０は、バネ５６からの付勢力を受けて図示反時計方向へ回動される。
【００５５】
マグネットレバー５０の図示反時計方向への回動によって、閉鎖係止レバー２５の曲げ部２５ｂを押圧していたピン５３が右側に退避するので、閉鎖係止レバー２５は、バネ２７の付勢力で図示反時計方向に回動される。また、リセットレバー４８が図示反時計方向へ回動されると、リセットレバー４８の曲げ部４８ｂとレリーズレバー４４の係止部４４ａとが係合して、図１０に示すような、撮影開始前の状態に復帰する。慣性レバー４６は、リセットレバー４８にピン６２が押圧されるため、バネ４５の付勢力に抗して図示時計方向に回動する。このとき、ピン６３による開放係止レバー３７の曲げ部３７ｂの押圧が解除されるので、開放係止レバー３７は、バネ３８の付勢力によって図示反時計方向に回動する。
【００５６】
また、図２３に示すように、チャージレバー１８が図示反時計方向へ回動されると、下端部分のカム面１８ａが閉鎖従動レバー３２のローラ部３２ｃに当接してこれを押圧する。その結果、閉鎖従動レバー３２は、図示時計方向に回動され、閉鎖駆動レバー２１は、閉鎖従動レバー３２と連動して、バネ２２の付勢力に抗して反時計方向に回動される。閉鎖従動レバー３２の時計方向への回動によって、バネ３３によって連結された開放駆動レバー３４は時計方向に回動され、開放従動レバー２３は、開放駆動レバー３４と連動して反時計方向に回動される。開放駆動レバー３４の時計方向への回動、および、開放従動レバー２３の反時計方向への回動は、開放駆動レバー３４の係止部３４ｃが開放係止レバー３７の曲げ部３７ａに当接することで停止する。開放駆動レバー３４の時計方向への回動、および、開放従動レバー２３の反時計方向への回動にともなって、連動ピン３５が下側主アーム５を時計方向にわずかに回動させ、連動ピン２４が上側主アーム２を反時計方向にわずかに回動させる。これにより、上側遮光機構はわずかに上方に引き上げられ、下側遮光機構はわずかに下方に引き下げられて、図３に示す撮影開始前の状態に復帰する。
【００５７】
チャージレバー１８の図示反時計方向への回動がさらに進行し、閉鎖従動レバー３２が時計方向へさらに回動され、閉鎖駆動レバー２１が図示反時計方向へさらに回動される。その結果、閉鎖駆動レバー２１の係止部２１ｃが閉鎖係止レバー２５の曲げ部２５ａの位置よりも右側上方に移動する。その後、チャージレバー１８がバネ１９の付勢力で図示時計方向へ復帰する。閉鎖駆動レバー２１は、バネ２２の付勢力で図示時計方向へわずかに回動されるが、係止部２１ｃが閉鎖係止レバー２５の曲げ部２５ａに当接して、図示時計方向への回動が停止される。すなわち、図３に示す撮影開始前の状態に復帰する。以上の動作によって、リセット動作が全て終了する。
【００５８】
上述した本発明による遮光装置および電子カメラでは、次の作用効果を奏する。
（１）  撮影開口４１１の短辺方向を互いに逆方向に走行する上側遮光羽根８，９および下側遮光羽根６，７によって、撮影開口４１１を開放および遮光するように構成した。上側遮光羽根８，９および下側遮光羽根６，７の走行距離を短くできるので、上側遮光羽根８，９および下側遮光羽根６，７が撮影開口４１１の開放および遮光に要する時間を短くできる。すなわち、上側遮光羽根８，９および下側遮光羽根６，７が短辺方向に走行する距離を撮影開口４１１の短辺方向長さよりもさらに短くしても撮影開口４１１を完全に遮蔽できる。これにより、撮影後はＣＣＤ６９を迅速に遮光できるので、ＣＣＤ６９で発生するノイズを減らすことができ、被写体像の高画質化に寄与する遮光装置を実現できる。この遮光装置を備えた電子カメラでは、撮影後は撮像素子を迅速に遮光できるので、撮像素子で発生するノイズを減らすことができ、被写体像の画質を向上できる。また、上側遮光羽根８，９および下側遮光羽根６，７が互いに逆方向に走行するため、遮光装置の重心位置の変化が少なく、撮像時のカメラブレを抑制できるので、鮮明な被写体像を撮像できる。
【００５９】
（２）  撮影開口４１１を遮光する際には、上側第１遮光羽根８と下側第１遮光羽根６とが撮影開口４１１の短辺方向の略中央で重なるように構成した。これにより、確実に撮影開口４１１を遮蔽できるので、遮光装置および電子カメラの信頼性を向上できる。
【００６０】
（３）  撮影開口４１１を開口する際には、上側遮光羽根８，９および下側遮光羽根６，７を短辺方向に互いに逆方向に走行させて、撮影開口４１１の短辺方向の略中央から開口するように構成した。なお、上側に偏った位置から開口するように構成した場合には、下側遮光羽根６，７の走行距離が長くなり、下側に偏った位置から開口するように構成した場合には、上側遮光羽根８，９の走行距離が長くなるため、撮影開口４１１を開口するために要する時間が上述した実施の形態より長くなる。したがって、上述の説明のように、撮影開口４１１の短辺方向の略中央から開放し始めることによって、撮影開口４１１を全開するまでの時間は短時間で済み、撮像開始前の準備動作に必要な時間が短くできる。レリーズボタン１０４が押圧されてから撮像開始までの時間が短縮され、レリーズタイムラグの短いカメラ、すなわちシャッタチャンスに強いカメラを実現できるまた、上述の説明のように、上側遮光機構および下側遮光機構は、撮影開口４１１の上下方向の略中央を軸として略対称となるように配設されている。したがって、上側遮光羽根８，９および下側遮光羽根６，７の双方が撮影開口４１１を遮蔽するために要する時間も同様に最も短くなって、連続撮影の性能を向上できる。
【００６１】
（４）  撮影開口４１１を遮光する際には、上側第１遮光羽根８と下側第１遮光羽根６とが重なり始めてから上側遮光機構および下側遮光機構の制動を開始するように構成した。これにより、制動に起因する遮光羽根の厚さ方向の振動が発生しても、対向して走行する上側第１遮光羽根８の下側端面と下側第１遮光羽根６の上側端面との衝突を防止できるので、遮光装置の信頼性を向上できる。
【００６２】
（５）  撮影開口４１１の遮蔽時には、上側第１遮光羽根８が下辺４１１ｃよりも上方で停止し、下側第１遮光羽根６が上辺４１１ａよりも下方で停止するように構成した。すなわち、撮影開口４１１の一方の長辺から他方の長辺に向かって走行する遮光羽根は、撮影開口４１１の他方の長辺に達する前に停止する。これにより、上側第１遮光羽根８と下辺４１１ｃとの衝突、および、下側第１遮光羽根６と上辺４１１ａとの衝突による遮光羽根の破損を防止できるので、遮光装置の信頼性を向上できる。
【００６３】
（６）  撮影開口４１１の遮蔽時に、上側遮光羽根８，９が最も下方へ駆動され、下側遮光羽根６，７が最も上方へ駆動された状態であっても、上側第２遮光羽根９は下側遮光羽根６，７と重ならず、下側第２遮光羽根７は上側遮光羽根８，９とは重ならないように構成した。これにより、制動に起因する遮光羽根の厚さ方向の振動が発生しても、上側第２遮光羽根９の下辺９ｂが下側遮光羽根６，７と接触することはないので、上側第２遮光羽根９および下側遮光羽根６，７が接触して破損することはない。同様に、下側第２遮光羽根７の上辺７ｂが上側遮光羽根８，９と接触することはないので、下側第２遮光羽根７および上側遮光羽根８，９が接触して破損することはない。これにより、遮光羽根６〜９の破損を防止できるので、遮光装置の信頼性を向上できる。
【００６４】
（７）  上側遮光機構および下側遮光機構に用いられる遮光羽根の枚数を、それぞれ２枚ずつとした。これにより、高さと光軸方向の厚さの両面からバランスよく遮光羽根部４１０および電子カメラを小型化できる。
（８）  撮影開口４１１を開放する際にも遮光する際にも、上側遮光羽根８，９および下側遮光羽根６，７を制動するように構成した。これにより、撮影開口４１１の開放時および遮光時に、上側遮光機構および下側遮光機構に作用する衝撃力を緩和できるので、遮光装置の耐久性を向上できる。
【００６５】
（９）  撮影開口４１１を開放する際には、上側遮光羽根８，９と下側遮光羽根６，７の双方が駆動されるので、上側遮光羽根８，９と下側遮光羽根６，７の双方を制動するように構成した。これにより、それぞれの羽根を駆動する開放従動レバー２３および開放駆動レバー３４を直接制動できるので、制動時の開放従動レバー２３および開放駆動レバー３４への負担が軽減されて、遮光装置の耐久性を向上できるとともに、開放従動レバー２３および開放駆動レバー３４の回動速度を円滑に減速して静粛性を高めることができる。
【００６６】
（１０）  上側ブレーキレバー２８によって、撮影開口４１１の遮蔽時および開放時に上側遮光羽根８，９を制動し、下側ブレーキレバー３０によって、撮影開口４１１の遮蔽時および開放時に下側遮光羽根６，７を制動するように構成した。これにより、少ない部品点数で遮光羽根を制動できる。また、上述の説明のように、遮蔽時の制動操作が開放時の制動準備動作となり、開放時の制動操作が遮蔽時の制動準備動作となるので、制動後のリセットのための特別な機構が不要である。したがって、遮光装置および電子カメラの製造コストを低減できるとともに、故障箇所が少なくなり信頼性が向上する。
【００６７】
−−−変形例−−−
（１）  上述の説明では、上側ブレーキレバー２８および下側ブレーキレバー３０によって、撮影開口４１１の開放時に上側遮光機構および下側遮光機構を制動するように構成しているが、撮影開口４１１の開放時における上側遮光機構および下側遮光機構の制動は必須ではない。ただし、遮光装置の耐久性や信頼性の観点からは、上述の説明のとおり、上側ブレーキレバー２８および下側ブレーキレバー３０によって、撮影開口４１１の開放時に上側遮光機構および下側遮光機構を制動することが好ましい。
【００６８】
（２）  上述の説明では、上側ブレーキレバー２８によって、撮影開口４１１の遮蔽時および開放時に上側遮光羽根８，９を制動し、下側ブレーキレバー３０によって、撮影開口４１１の遮蔽時および開放時に下側遮光羽根６，７を制動するように構成したが、本発明はこれに限定されない。たとえば、撮影開口４１１の遮蔽時と開放時とでは異なる部材によって、上側遮光羽根８，９を制動してもよく、撮影開口４１１の遮蔽時と開放時とでは異なる部材によって、下側遮光羽根６，７を制動するように構成してもよい。だだし、部品点数が増え、制動後のリセットのために別途リセット機構を必要とするため、上述の説明のように、上側ブレーキレバー２８によって、撮影開口４１１の遮蔽時および開放時に上側遮光羽根８，９を制動し、下側ブレーキレバー３０によって、撮影開口４１１の遮蔽時および開放時に下側遮光羽根６，７を制動するように構成することが好ましい。
【００６９】
（３）  上述の説明では、撮影開口４１１を遮蔽する際には、上側第１遮光羽根８と下側第１遮光羽根６とが撮影開口４１１の短辺方向の略中央で重なるように構成し、撮影開口４１１を開放する際には、撮影開口４１１の短辺方向の略中央から開口するように構成したが、本発明はこれに限定されない。上側第１遮光羽根８と下側第１遮光羽根６とが重なる位置や撮影開口４１１の開口開始位置は、撮影開口４１１の短辺方向の略中央よりも上方や下方であってもよい。ただし、上述のように、撮影開口４１１の開放や遮蔽に要する時間の点からは、撮影開口４１１を遮光する際には、上側第１遮光羽根８と下側第１遮光羽根６とが撮影開口４１１の短辺方向の略中央で重なるように構成し、撮影開口４１１を開口する際には、撮影開口４１１の短辺方向の略中央から開口するように構成することが望ましい。
【００７０】
（４）  上述の説明では、上側遮光羽根および下側遮光羽根はそれぞれ２枚ずつであったが、本発明はこれに限定されない。たとえば、上側遮光羽根および下側遮光羽根がそれぞれ１枚であってもよく、３枚以上の複数枚であってもよい。なお、高さと光軸方向の厚さの両面からバランスよく遮光羽根部４１０および電子カメラを小型化するためには、上述の説明のように、上側遮光羽根および下側遮光羽根に用いられる遮光羽根は、それぞれ２枚ずつであることが好ましい。また、上側遮光羽根と下側遮光羽根の枚数が異なっていてもよい。
（５）  上述した各実施の形態および変形例は、それぞれ組み合わせてもよい。
【００７１】
以上の実施の形態およびその変形例において、たとえば、遮光羽根群は上側遮光羽根８，９および下側遮光羽根６，７に、先頭の遮光羽根は上側第１遮光羽根８および下側第１遮光羽根６に、他の遮光羽根は上側第２遮光羽根９および下側第２遮光羽根７に、撮像素子はＣＣＤ６９に、露光制御手段は制御回路１０１にそれぞれ対応する。なお、以上の説明はあくまで一例であり、発明を解釈する際、上記の実施形態の記載事項と特許請求の範囲の記載事項の対応関係になんら限定も拘束もされない。
【図面の簡単な説明】
【００７２】
【図１】本発明による電子カメラである一眼レフタイプのカメラボディ１００とカメラボディ１００に装着する撮影レンズ１２０を示した斜視図である。
【図２】カメラボディ１００に取り付けられるミラーボックスの斜視図である。
【図３】閉状態の遮光羽根部４１０を正面から見た図である。
【図４】図３のＩ−Ｉ断面を示す図である。
【図５】開状態の遮光羽根部４１０を正面から見た図である。
【図６】基板１の正面側の遮光羽根駆動部４２０を示す図である。
【図７】基板１の正面側の遮光羽根駆動部４２０を示す図である。
【図８】基板１の正面側の遮光羽根駆動部４２０を示す図である。
【図９】基板１の正面側の遮光羽根駆動部４２０を示す図である。
【図１０】制御基板３９の正面側の遮光羽根駆動部４２０を示す図である。
【図１１】レリーズ動作開始後の遮光羽根駆動部４２０を示す図であり、制御基板３９の正面側を示している。
【図１２】レリーズ動作開始後の遮光羽根駆動部４２０を示す図であり、撮影開口４１１を開放開始直前の基板１の正面側の状態を示している。
【図１３】撮影開口４１１の開放完了時の開放駆動レバー３４、開放従動レバー２３、上側ブレーキレバー２８および下側ブレーキレバー３０の状態を示す図である。
【図１４】リセット動作開始直後の遮光羽根駆動部４２０を示す図であり、制御基板３９の正面側を示している。
【図１５】リセット動作開始直後の遮光羽根駆動部４２０を示す図であり、撮影開口４１１を遮蔽開始直前の基板１の正面側の状態を示している。
【図１６】撮影開口４１１の遮蔽時に、開放駆動レバー３４および開放従動レバー２３の制動が開始された瞬間の遮光羽根駆動部４２０を示す図であり、基板１の正面側の状態を示している。
【図１７】撮影開口４１１の遮蔽時に、開放駆動レバー３４および開放従動レバー２３の制動が開始された瞬間の上側遮光機構および下側遮光機構の状態を示す図である。
【図１８】閉鎖駆動レバー２１および開放従動レバー２３の時計方向への回動が停止され、閉鎖従動レバー３２および開放駆動レバー３４の反時計方向への回動が停止された状態を示す図である。
【図１９】図１８に示す状態となった閉鎖駆動レバー２１および開放従動レバー２３によって駆動された上側遮光機構および下側遮光機構の状態を示す図である。
【図２０】図１９のＩＩ−ＩＩ断面を示す図である。
【図２１】リセット動作開始後に、レバー６０が上方へ退避した後の遮光羽根駆動部４２０を示す図であり、制御基板３９の正面側を示している。
【図２２】リセット動作開始後に、チャージレバー１８が図示反時計方向に回動された後の遮光羽根駆動部４２０を示す図であり、制御基板３９の正面側を示している。
【図２３】リセット動作開始後に、チャージレバー１８が図示反時計方向に回動された後の遮光羽根駆動部４２０を示す図であり、基板１の正面側を示している。
【符号の説明】
【００７３】
１  基板                                  ６  下側第１遮光羽根
６ｂ，７ｂ  上辺                          ７  下側第２遮光羽根
８  上側第１遮光羽根                      ８ｂ，９ｂ  下辺
９  上側第２遮光羽根                      １８  チャージレバー
２１  閉鎖駆動レバー                      ２３  開放従動レバー
２４，３５  連動ピン                      ２５  閉鎖係止レバー
２８  上側ブレーキレバー                  ３０  下側ブレーキレバー
３２  閉鎖従動レバー                      ３４  開放駆動レバー
３７  開放係止レバー                      ３９  制御基板
４４  レリーズレバー                      ４６  慣性レバー
４８  リセットレバー                      ５０  マグネットレバー
５７  マグネット                          ５８  位置決めピン
６９  ＣＣＤ                              １００  カメラボディ
１０１  制御回路                          １２０  撮影レンズ
２００  絞り制御機構                      ３００  ミラーボックス
３０１  撮影光路                          ３２１  メインミラー
４００  遮光装置                          ４１０  遮光羽根部
４１１  撮影開口                          ４２０  遮光羽根駆動部
【図１】
2006293073.tif 000003
【図２】
2006293073.tif 000004
【図３】
2006293073.tif 000005
【図４】
2006293073.tif 000006
【図５】
2006293073.tif 000007
【図６】
2006293073.tif 000008
【図７】
2006293073.tif 000009
【図８】
2006293073.tif 000010
【図９】
2006293073.tif 000011
【図１０】
2006293073.tif 000012
【図１１】
2006293073.tif 000013
【図１２】
2006293073.tif 000014
【図１３】
2006293073.tif 000015
【図１４】
2006293073.tif 000016
【図１５】
2006293073.tif 000017
【図１６】
2006293073.tif 000018
【図１７】
2006293073.tif 000019
【図１８】
2006293073.tif 000020
【図１９】
2006293073.tif 000021
【図２０】
2006293073.tif 000022
【図２１】
2006293073.tif 000023
【図２２】
2006293073.tif 000024
【図２３】
2006293073.tif 000025